(57)【特許請求の範囲】
【請求項１】
携帯端末と情報処理装置とが通信することによって情報を処理する情報処理システムであって、
タッチパネル式のモニタ部と、前記モニタ部に画像を表示させる表示制御部と、第１被検出部と、を有する携帯端末と、
前記携帯端末を載置するための載置部と、前記携帯端末が前記載置部に載置された場合に前記第１被検出部を検出する第１センサと、を有する情報処理装置と、
を備え、
前記携帯端末を平面透視した場合に、前記第１被検出部は、前記携帯端末の中心から離間しており、
前記表示制御部は、前記第１センサの検出結果に応じて、前記モニタ部に表示される画像の向きを決定するとともに、
前記情報処理装置は、前記携帯端末が前記載置部に載置された場合に前記第１被検出部を検出する第２センサを有し、
前記載置部を平面透視した場合に、前記第２センサは、前記載置部の中心を基準として前記第１センサと対称に配置されており、
前記表示制御部は、前記第１及び第２センサの検出結果に応じて、前記モニタ部に表示される画像の向きを決定し、
前記携帯端末は、前記携帯端末を平面透視した場合に、前記携帯端末の前記中心を基準として前記第１被検出部と対称に配置された第２被検出部を有し、
前記第１被検出部及び前記第２被検出部それぞれは、磁石であり、
前記第１センサ及び前記第２センサそれぞれは、磁力センサであって、
前記第１被検出部の磁力は、前記第２被検出部の磁力よりも大きい、
情報処理システム。
【請求項２】
携帯端末と情報処理装置とが通信することによって情報を処理する情報処理システムであって、
タッチパネル式のモニタ部と、前記モニタ部に画像を表示させる表示制御部と、第１被検出部と、を有する携帯端末と、
前記携帯端末を載置するための載置部と、前記携帯端末が前記載置部に載置された場合に前記第１被検出部を検出する第１センサと、を有する情報処理装置と、
を備え、
前記携帯端末を平面透視した場合に、前記第１被検出部は、前記携帯端末の中心から離間しており、
前記表示制御部は、前記第１センサの検出結果に応じて、前記モニタ部に表示される画像の向きを決定するとともに、
前記情報処理装置は、前記携帯端末が前記載置部に載置された場合に前記第１被検出部を検出する第２センサを有し、
前記載置部を平面透視した場合に、前記第２センサは、前記載置部の中心を基準として前記第１センサと対称に配置されており、
前記表示制御部は、前記第１及び第２センサの検出結果に応じて、前記モニタ部に表示される画像の向きを決定し、
前記携帯端末は、前記携帯端末を平面透視した場合に、前記携帯端末の前記中心を基準として前記第１被検出部と対称に配置された第２被検出部を有し、
前記第１被検出部及び前記第２被検出部それぞれは、磁石であり、
前記第１センサ及び前記第２センサそれぞれは、磁力センサであって、
前記載置部を平面透視した場合に、前記第１被検出部と前記中心との間隔は、前記第２被検出部と前記中心との間隔よりも大きい、
情報処理システム。
【請求項３】
前記携帯端末は、被固定磁石を有し、
前記情報処理装置は、前記被固定磁石を引き寄せる固定磁石を有する、
請求項１または２に記載の情報処理システム。
【発明の詳細な説明】
【技術分野】
【０００１】
本発明は、携帯端末と情報処理装置とが通信することによって情報を処理する情報処理システムに関する。
【背景技術】
【０００２】
近年、通話機能だけでなく各種のアプリケーション機能を有する携帯端末（例えば、スマートフォン）が広く利用されている。このような携帯端末は、タッチパネル式のモニタ部を備えており、各種のアプリケーション機能を起動するためのアイコンなどを表示可能である。
【０００３】
ここで、パーソナルコンピュータなどの情報処理装置にドッキングした状態で携帯端末を利用する手法が提案されている（特許文献１参照）。この手法では、情報処理装置の本体表面に、携帯端末を載置するための載置部が形成されている。
【先行技術文献】
【特許文献】
【０００４】
【特許文献１】特開２０１０−７９７１５号公報
【発明の概要】
【発明が解決しようとする課題】
【０００５】
携帯端末が載置部に載置された場合に、如何なる向きで載置されているかを携帯端末が認識することは困難である。そこで、携帯端末が載置部に載置された場合には、携帯端末が載置された向きに関わらず、既定の向きで画面を表示することも考えられる。しかしながら、既定の向きで画面を表示してしまうと、ユーザから見て画面が逆さに表示される場合があり、この場合には、ユーザが携帯端末を１８０度回転させて載置し直さなければならないため煩雑である。
【０００６】
本発明は、このような問題に鑑みてなされたものであり、携帯端末が情報処理装置に載置された向きを認識可能な情報処理システムを提供することを目的とする。
【課題を解決するための手段】
【０００７】
本情報処理システムは、携帯端末と情報処理装置とが通信することによって情報を処理する情報処理システムである。本情報処理システムは、タッチパネル式のモニタ部と、モニタ部に画像を表示させる表示制御部と、第１被検出部と、を有する携帯端末と、携帯端末を載置するための載置部と、携帯端末が載置部に載置された場合に第１被検出部を検出する第１センサと、を有する情報処理装置と、を備える。携帯端末を平面透視した場合に、第１被検出部は、携帯端末の中心から離間している。表示制御部は、第１センサの検出結果に応じて、モニタ部に表示される画像の向きを決定する。
【発明の効果】
【０００８】
本発明によれば、携帯端末が情報処理装置に載置された向きを認識可能な情報処理システムを提供することができる。
【図面の簡単な説明】
【０００９】
【図１】情報処理システムの構成を示す模式図
【図２】携帯端末の平面図
【図３】携帯端末のブロック図
【図４】パーソナルコンピュータの平面図
【図５】パーソナルコンピュータのブロック図
【図６】情報処理システムの動作を説明するためのシーケンス図
【図７】モニタ部の表示例を示す模式図
【図８】モニタ部の表示例を示す模式図
【発明を実施するための形態】
【００１０】
〔情報処理システム１００を構成する装置の説明〕
図１に示すように、情報処理システム１００は、携帯端末１（携帯端末の一例）とパーソナルコンピュータ２（情報処理装置の一例、以下ＰＣと呼ぶ）とによって構成されている。情報処理システム１００では、携帯端末１とＰＣ２とが通信することによって情報が処理される。
【００１１】
携帯端末１とＰＣ２とは、無線回線２００を介して通信可能である。無線回線２００は、Ｂｌｕｅｔｏｏｔｈ（登録商標）や８０２．１１無線などの通信規格に基づいて形成されている。
【００１２】
携帯端末１は、矩形の平板状に形成されている。携帯端末１は、タッチパネル式のモニタ部３を備える。モニタ部３は、液晶パネルなどの表示装置と、タッチパッドなどの位置入力装置とによって構成されている。携帯端末１の構成については後述する。
【００１３】
ＰＣ２は、ラップトップ式のコンピュータである。ＰＣ２は、モニタ部４と、載置部４１と、を備える。モニタ部４は、液晶パネルなどの表示装置である。載置部４１は、携帯端末１を載置するための凹部である。載置部４１は、ＰＣ２の表面に形成される。なお、本実施形態において、載置部４１は、キーボードの手前に形成されているが、キーボードの左右などに形成されていてもよい。また、図示しないが、載置部４１の底面には、タッチパッドやクリックボタンなどが配置されていてもよい。ＰＣ２の構成については後述する。
【００１４】
ここで、携帯端末１は、ＰＣ２の載置部４１に載置された場合に、ＰＣ２の操作部として機能しうる。具体的に、携帯端末１のモニタ部３には、タッチパッド、左右のクリックボタン、テンキー及び各種アイコンなどが表示され、ユーザは、モニタ部３をタッチペンや指（以下、指示手段という。）で触れることによってＰＣ２を操作することができる。
【００１５】
なお、本実施形態では、ユーザがＰＣ２のモニタ部４と正対する位置で携帯端末１を操作することが想定されている。そのため、後述するように、携帯端末１のモニタ部３における各種表示は、モニタ部４と正対するユーザに向かって表示される。モニタ部３における表示例については後述する。
【００１６】
＜携帯端末１の外観構成＞
次に、図２を参照しながら、携帯端末１の外観構成について説明する。図２は、携帯端末１の平面図である。図２に示すように、携帯端末１は、被検出磁石１ａ（第１被検出部の一例）と、一対の被固定磁石１ｂと、を備える。
【００１７】
被検出磁石１ａは、携帯端末１に内蔵される磁石である。被検出磁石１ａは、図２に示すように、携帯端末１を平面透視した場合、携帯端末１の中心Ｐから離間している。具体的に、被検出磁石１ａは、携帯端末１の四隅のうち１箇所に配置されている。被検出磁石１ａは、被検出磁石１ａを中心として、携帯端末１の外部に広がる磁場を形成する。
【００１８】
一対の被固定磁石１ｂは、携帯端末１に内蔵されている。一対の被固定磁石１ｂは、携帯端末１を平面透視した場合に、携帯端末１の中心Ｐを基準として対称な位置に配置されている。
【００１９】
＜携帯端末１の機能構成＞
次に、図３を参照しながら、携帯端末１の機能構成について説明する。以下の説明では、本発明に関係する機能構成について主に説明し、携帯端末１の基本的な機能（例えば、通話機能やインターネット経由のデータ伝送機能など）についての説明は省略する。
【００２０】
図３は、携帯端末１の機能構成を示すブロック図である。図３に示すように、携帯端末１は、制御部１０と、通信部１６と、記憶部１７と、操作部１８と、を備える。
制御部１０は、マイクロプロセッサを利用したＣＰＵ１１（Central Processing Unit）と、画像処理回路１４と、サウンド処理回路１５とを、有する。これらは、バス２５を介して互いに接続されている。
【００２１】
ＣＰＵ１１（表示制御部の一例）は、プログラムからの命令を解釈し実行する。また、ＣＰＵ１１は、入出力命令を解釈し、データの入力や出力を実行する。さらに、ＣＰＵ１１は、各種データの記憶部１７に対する書き込み処理や読み出し処理を実行する。
【００２２】
ＣＰＵ１１は、携帯端末１がＰＣ２の載置部４１に載置された場合、通信部１６を介して、ＰＣ２が有する第１センサ２ａ1および第２センサ２ａ2（図４参照）の検出結果を取得する。ＣＰＵ１１は、第１センサ２ａ1および第２センサ２ａ2の検出結果に基づいて、モニタ部３に表示させる画像の上下を決定する。具体的に、ＣＰＵ１１は、被検出磁石１ａが第１センサ２ａ1によって検出された場合、モニタ部３の被検出磁石１ａ側を画像の下側に設定し、被検出磁石１ａが第１センサ２ａ2によって検出された場合、モニタ部３の被検出磁石１ａ側を画像の上側に設定する。その後、ＣＰＵ１１は、所定画像の描画を指示するための描画指示を画像処理回路１４に送信する。
【００２３】
また、ＣＰＵ１１は、描画指示を画像処理回路１４に送信した後において、“接触信号”を画像処理回路１４から受信した場合、タッチパネル式のモニタ部３上でユーザによって選択された対象物を認識する。接触信号とは、モニタ部３において指示手段が接触された位置を示す信号である。ＣＰＵ１１は、画像処理回路１４から接触信号を受信した場合、通信部１６を介して、接触信号をＰＣ２に送信する。
【００２４】
画像処理回路１４は、ＣＰＵ１１からの描画指示に応じてモニタ部３を制御することによって、液晶モニタ３ａに所定の画像を表示させる。モニタ部３における表示例については後述する。また、画像処理回路１４にはタッチ入力検出回路１４ａが含まれている。タッチ入力検出回路１４ａは、タッチパネルに指示手段が接触されたことを検出した場合に、接触信号をＣＰＵ１１に送信する。
【００２５】
サウンド処理回路１５は、ＣＰＵ１１からの発音命令に応じたアナログ音声信号を生成して、音出力用のマイク５ａおよび／又はスピーカ６に出力する。音出力用の出力マイク５ａおよび／又はスピーカ６の音量は、操作部１８のボリュームボタンによって調節される。また、サウンド処理回路１５は、音入力用の入力マイク５ｂから音が入力されたときに、アナログ音声信号をデジタル音声信号に変換する。
【００２６】
通信部１６は、データ通信するための通信機能や、電話として通信するための通信機能等を有している。データ通信用の通信機能には、ローカルワイヤレスネットワーク機能や、ワイヤレスＬＡＮによるインターネット接続機能等が、含まれている。
【００２７】
通信部１６は、通信制御回路２０と通信インターフェイス２１とを有している。通信制御回路２０および通信インターフェイス２１は、バス２５を介してＣＰＵ１１に接続されている。通信制御回路２０および通信インターフェイス２１は、ＣＰＵ１１からの命令に応じて、携帯端末１を、Ｂｌｕｅｔｏｏｔｈ（登録商標）等によりＰＣ２に接続するための接続信号を制御する。
【００２８】
また、通信制御回路２０および通信インターフェイス２１は、携帯端末１がＰＣ２の載置部４１に載置された場合、上述の検出結果をＰＣ２から受信する。通信制御回路２０は、受信した検出結果をＣＰＵ１１に送信した後、ＣＰＵ１１から受信する接触信号をＰＣ２に送信する。
【００２９】
記憶部１７は、本体に内蔵されており、バス２５に接続される。例えば、記憶部１７は、ＲＯＭ１２（Read Only Memory）と、ＲＡＭ１３（Random Access Memory）と、フラッシュメモリ１９とを、有している。ＲＯＭ１２は、携帯端末１の基本的な制御（例えば起動制御等）に必要なプログラム等を、記録する。ＲＯＭ１２には、データ処理、ファイル制御、及び基本制御等に関するプログラムが、記録されている。
【００３０】
ＲＡＭ１３は、制御部１０のワークメモリとして機能する。ＲＡＭ１３は、ＳＤＲＡＭ等で実現される。ＲＡＭ１３は、各種データ、画像情報、及び音声情報などを記録するための内部メモリとしても機能する。フラッシュメモリ１９は、書き換え可能な不揮発性のメモリである。フラッシュメモリ１９には、基本プログラム、各種データ、及びハード制御用のプログラムが記録される。また、フラッシュメモリ１９には、ＯＳ（Operating System）がインストールされる。なお、フラッシュメモリ１９は、ＲＡＭ１３に統合されていてもよい。
【００３１】
操作部１８は、図示しない、ホームボタン及びボリュームボタン等を有している。ホームボタンが押されると、ホーム画面が表示されたり、携帯端末１がスリープ状態から復帰したりする。ボリュームボタンが押されると、音量の増減が行われる。
なお、バス２５と各要素との間には必要に応じてインターフェイス回路が介在しているが、ここではそれらの図示は省略している。
【００３２】
＜ＰＣ２の外観構成＞
次に、図４を参照しながら、ＰＣ２の外観構成について説明する。図４は、ＰＣ２の本体部の平面図である。
【００３３】
図４に示すように、ＰＣ２は、第１センサ２ａ1（第１センサの一例）と、第２センサ２ａ2（第２センサの一例）と、一対の固定磁石２ｂと、を備える。
第１センサ２ａ1は、ＰＣ２に内蔵される磁力センサである。第１センサ２ａ1は、載置部４１の四隅のうち１箇所の下方に配置されている。第１センサ２ａ1は、携帯端末１の被検出磁石１ａを検出する。
【００３４】
第２センサ２ａ2は、ＰＣ２に内蔵される磁力センサである。第２センサ２ａ2は、図４に示すように、載置部４１を平面透視した場合に、載置部４１の中心Ｑを基準として、第１センサ２ａ1と対称に配置されている。
【００３５】
一対の固定磁石２ｂは、ＰＣ２に内蔵される磁石である。一対の固定磁石２ｂは、図４に示すように、載置部４１を平面透視した場合に、載置部４１の中心Ｑを基準として、互いに対称に配置されている。一対の固定磁石２ｂは、携帯端末１が有する一対の被固定磁石１ｂを引き寄せることによって、携帯端末１を載置部４１に固定する。一対の固定磁石２ｂは、第１センサ２ａ1および第２センサ２ａ2の検出結果に影響を与えないよう、第１センサ２ａ1および第２センサ２ａ2から離間していることが好ましい。
【００３６】
＜ＰＣ２の機能構成＞
次に、図５を参照しながら、ＰＣ２の機能構成について説明する。以下の説明では、本発明に関係する機能構成について主に説明し、ＰＣ２の基本的な機能（例えば、インターネット経由のデータ伝送機能など）についての説明は省略する。
【００３７】
図５は、ＰＣ２の機能構成を示すブロック図である。図５に示すように、ＰＣ２は、制御部１１０と、通信部１１６と、記憶部１１７と、入力部１１８と、を備える。
ここで、制御部１１０、通信部１１６及び記憶部１１７の基本的な機能は、携帯端末１の制御部１０、通信部１６及び記憶部１７と同様である。そのため、以下においては、携帯端末１と同様の機能については簡単に説明し、携帯端末１と異なる機能について主に説明する。
【００３８】
制御部１１０は、ＣＰＵ１１１と、画像処理回路１１４と、サウンド処理回路１１５とを、有している。これらは、バス１２５を介して互いに接続されている。
ＣＰＵ１１１は、各種の命令を解釈し、各種の処理を実行する。ＣＰＵ１１１は、第１センサ２ａ1および第２センサ２ａ2に接続されている。ＣＰＵ１１１は、第１センサ２ａ1および第２センサ２ａ2それぞれの検出結果を取得し、通信部１１６を介して、検出結果を携帯端末１に送信する。具体的には、第１センサ２ａ1が被検出磁石１ａを検出した場合、その旨を携帯端末１に送信し、第２センサ２ａ2が被検出磁石１ａを検出した場合、その旨を携帯端末１に送信する。
【００３９】
また、ＣＰＵ１１１は、携帯端末１から受信する接触信号に基づいて、所定画像の描画を指示する描画指示を画像処理回路１１４に送信する。例えば、ＣＰＵ１１１は、携帯端末１のモニタ部３にタッチパッドが表示されている場合には、タッチパッド上の接触位置に応じて、モニタ部４にカーソルを表示させる。
【００４０】
画像処理回路１１４は、ＣＰＵ１１１からの描画指示に応じてモニタ部４を制御することによって、モニタ４ａに所定画像を表示させる。なお、本実施形態では、モニタ４ａは、タッチパネルであっても、非タッチパネルであってもよい。サウンド処理回路１１５は、ＣＰＵ１１１からの発音指示に応じたアナログ音声信号を生成して、スピーカ２１６に出力する。なお、本実施形態では、ＰＣ２のＣＰＵ１１１が、携帯端末１のＣＰＵ１１より処理能力が低いものであるということが想定されている。通信部１１６は、データ通信するための通信機能等を有している。
【００４１】
記憶部１１７は、本体に内蔵されており、バス１２５に接続される。例えば、記憶部１１７は、ＲＯＭ１１２と、ＲＡＭ１１３と、ハードディスク１１９とを、有している。ＲＯＭ１１２は、ＰＣ２の基本制御に関するプログラム等を、記録する。ＲＡＭ１１３は、制御部１１０のワークメモリとして機能する。ハードディスク１１９は、例えば、磁気ディスクである。ハードディスク１１９は、基本プログラム、各種データ、及びハード制御用のプログラムが、記録される。また、ハードディスク１１９には、ＯＳがインストールされる。
【００４２】
入力部１１８は、情報を入力可能な装置である。入力部１１８は、例えばキーボード及び／又はマウスである。ユーザは、入力部１１８を操作することによって、所望の命令を制御部１１０に指示する。
なお、バス１２５と各要素との間には必要に応じてインターフェイス回路が介在しているが、ここではそれらの図示は省略している。
【００４３】
〔情報処理システム１００の動作〕
次に、図６を参照しながら、情報処理システム１００の動作について説明する。図６は、情報処理システム１００の動作を説明するためのシーケンス図である。
【００４４】
まず、携帯端末１とＰＣ２とが起動している状態において、携帯端末１がＰＣ２から所定の距離に入ると、携帯端末１とＰＣ２は無線回線２００を形成する（ステップＳ１０）。
【００４５】
次に、ＰＣ２は、携帯端末１が載置部４１に載置されると、第１センサ２ａ1および第２センサ２ａ2のいずれか一方において、携帯端末１の被検出磁石１ａを検出する（ステップＳ２０）。
【００４６】
次に、ＰＣ２は、第１センサ２ａ1および第２センサ２ａ2それぞれの検出結果を携帯端末１に送信する（ステップＳ３０）。
次に、携帯端末１は、第１センサ２ａ1および第２センサ２ａ2の検出結果に基づいて、モニタ部３に表示する画像の向き（上下）を決定する（ステップＳ４０）。
【００４７】
次に、携帯端末１は、決定した向きに従って画像をモニタ部３に表示する（ステップＳ５０）。
ここで、図７は、第１センサ２ａ1によって被検出磁石１ａが検出された場合のモニタ部３における表示例である。また、図８は、第２センサ２ａ2によって被検出磁石１ａが検出された場合のモニタ部３における表示例である。第１センサ２ａ1および第２センサ２ａ2の検出結果に応じてモニタ部３の画像の向きが決定されるので、図７及び図８に示すように、携帯端末１が１８０度回転して載置されても、モニタ部３に表示される画像は、ユーザから見え易いように表示される。なお、図７及び図８では、タッチパッド領域３１、右クリックボタン領域３２、左クリックボタン領域３３及びアプリケーション用アイコン領域３４がモニタ部３に表示された場合が図示されている。
【００４８】
次に、携帯端末１は、モニタ部３において指示手段（例えば、タッチペンや指）が接触した位置を示す接触信号をＰＣ２に送信する（ステップＳ６０）。これに応じて、ＰＣ２のモニタ部４には、接触信号に応じて所定画像（カーソルなど）が表示される。
【００４９】
〔作用及び効果〕
（１）情報処理システム１００は、携帯端末１と、ＰＣ２と、を備える。携帯端末１は、タッチパネル式のモニタ部３と、モニタ部３に画像を表示させるＣＰＵ１１（表示制御部の一例）と、被検出磁石１ａ（第１被検出部の一例）と、を有する。ＰＣ２は、携帯端末１を載置するための載置部４１と、携帯端末１が載置部４１に載置された場合に被検出磁石１ａを検出する第１センサ２ａ1及び第２センサ２ａ2と、を有する。携帯端末１を平面透視した場合に、被検出磁石１ａは、携帯端末１の中心Ｐから離間している。携帯端末１において、ＣＰＵ１１は、第１センサ２ａ1及び第２センサ２ａ2の検出結果に応じて、モニタ部３に表示される画像の向きを決定する。
【００５０】
このように、携帯端末１は、センサの検出結果に基づいて、ＰＣ２に載置された向きを認識することができる。従って、携帯端末１が載置された向きに応じて、モニタ部３に表示される画像の向きが切り替えることによって、モニタ部３の画像をユーザに見え易くすることができる。
【００５１】
（２）また、ＰＣ２が２つのセンサを有しているので、２つのセンサの配置位置を被検出磁石１ａの２位置（すなわち、中心Ｐを中心として１８０度ずれた位置）に対応させることによって、２つのセンサのいずれかによって必ず被検出磁石１ａを検出できる。そのため、２つのセンサの検出結果に基づいて、携帯端末１が載置された向きだけでなく、携帯端末１が載置されたことをも認識することができる。従って、携帯端末１が載置されたことを携帯端末１に別途通知する必要がない。
【００５２】
（３）また、携帯端末１は、一対の被固定磁石１ｂを有し、ＰＣ２は、一対の被固定磁石１ｂを引き寄せる一対の固定磁石２ｂを有する。そのため、携帯端末１が載置された向きに関わらず、携帯端末１をＰＣ２に固定することができる。
【００５３】
〔他の実施形態〕
（Ａ）上記実施形態では、携帯端末１とＰＣ２とが無線回線２００を介して通信することとしたが、これに限られるものではない。携帯端末１とＰＣ２とは、ＩＥＥＥ（institute of electrical and electronic engineers）１３９４やＵＳＢなどの規格に基づく有線回線を介して通信してもよい。
【００５４】
（Ｂ）上記実施形態において、携帯端末１の平面形状は、矩形であることとしたが、これに限られるものではない。携帯端末１の平面形状は、楕円形や多角形であってもよい。ただし、携帯端末１の平面形状は、所定方向に長い形状であることが好ましい。これによって、センサの数を２つ以下とすることができる。
【００５５】
（Ｃ）上記実施形態において、携帯端末１のモニタ部３における表示例を図７及び図８に示したが、これに限られるものではない。携帯端末１のモニタ部３にはテンキーなどが表示されていてもよい。
【００５６】
（Ｄ）上記実施形態において、ＰＣ２は、第１センサ２ａ1及び第２センサ２ａ2を有することとしたが、第１センサ２ａ1及び第２センサ２ａ2のいずれか一方のみを備えていてもよい。ただし、この場合には、ＰＣ２は、携帯端末１が載置部４１に載置されたことを検出する必要がある。ＰＣ２が、第１センサ２ａ1のみを備えている場合、ＰＣ２は、携帯端末１が載置部４１に載置されたことを検出すると、第１センサ２ａ1で携帯端末１の非検出磁石１ａを検出できたか否かの検出結果を、携帯端末１に通知する。携帯端末１がＰＣ２の載置部４１に載置された際に、図７では第１センサ２ａ1が携帯端末１の非検出磁石１ａを検出できるのに対して、図８では、第１センサ２ａ1が携帯端末１の非検出磁石１ａを検出できない。携帯端末１は、ＰＣ２からの検出結果に基づいて画像の上下を決定し、その上下に従って画像を表示する。
【００５７】
（Ｅ）上記実施形態では、被検出部の一例として被検出磁石１ａについて説明するとともに、センサの一例として磁力センサである第１及び第２センサ２ａ1,２ａ2について説明したが、これに限られるものではない。例えば、被検出部とセンサの組み合わせは、赤外線出力装置と赤外線センサの組み合わせであってもよいし、振動発生装置と振動センサの組み合わせであってもよい。
【００５８】
（Ｆ）上記実施形態において、携帯端末１は、被検出部として１つの被検出磁石１ａを有することとしたが、これに限られるものではない。携帯端末１は、第１及び第２被検出部として２つの被検出磁石を有していてもよい。
【００５９】
この場合、一方の被検出磁石と中心Ｐとの間隔を、他方の被検出磁石と中心Ｐとの間隔よりも大きくすることによって、第１及び第２センサ２ａ1,２ａ2それぞれで検出される磁力の大きさを異ならせればよい。第１及び第２センサ２ａ1,２ａ2のいずれで検出される磁力が大きいかに基づいて、携帯端末１は、ＰＣ２に載置された向きを認識することができる。
【００６０】
また、一方の被検出磁石の磁力を、他方の被検出磁石の磁力よりも大きくすることによって、第１及び第２センサ２ａ1,２ａ2それぞれで検出される磁力の大きさを異ならせてもよい。この場合にも、第１及び第２センサ２ａ1,２ａ2のいずれで検出される磁力が大きいかに基づいて、携帯端末１は、ＰＣ２に載置された向きを認識することができる。
【００６１】
（Ｇ）上記実施形態において、携帯端末１は、一対の被固定磁石１ｂを有し、ＰＣ２は、一対の固定磁石２ｂを有することとしたが、これに限られるものではない。携帯端末１は、１つの被固定磁石１ｂを有し、ＰＣ２は、１つの固定磁石２ｂを有することとしてもよい。この場合、１つの被固定磁石１ｂは、携帯端末１の中心Ｐに配置し、１つの固定磁石２ｂは、載置部４１の中心Ｑに位置すればよい。
また、上記実施形態のように、携帯端末１が載置部４１にはめ込まれる場合には、携帯端末１及びＰＣ２は被固定用/固定用磁石を有していなくてもよい。
【００６２】
（Ｈ）上記実施形態では、携帯端末１が被検出磁石１ａを有し、ＰＣ２がセンサ２ａを有することとしたが、これに限られるものではない。ＰＣ２が被検出磁石を有し、携帯端末１が磁力センサを有していてもよい。
【産業上の利用可能性】
【００６３】
本発明は、情報処理システムに広く利用可能である。
【符号の説明】
【００６４】
１      携帯端末
１ａ    被検出磁石
２      ＰＣ
２ａ    センサ
３      携帯端末のモニタ部
１１    携帯端末のＣＰＵ
４１    載置部
Ｐ      携帯端末の中心
Ｑ      載置部の中心
【図１】
0005838337.tif 000002
【図２】
0005838337.tif 000003
【図３】
0005838337.tif 000004
【図４】
0005838337.tif 000005
【図５】
0005838337.tif 000006
【図６】
0005838337.tif 000007
【図７】
0005838337.tif 000008
【図８】
0005838337.tif 000009